(57)【要約】      （修正有）【課題】尿を容易に収集することができるとともに、取り付け及び取り外しが簡単である男性尿路用の装着式集尿装置を提供する。【解決手段】男性尿路用の装着式集尿装置は、固定部１と、ガイドスリーブ２からなり、固定部１における開口部１１１は、インナースリーブ１２の一側の第１ポート１２１によって被覆されるとともに、インナースリーブ１２は、第１ポート１２１のネット固定部の外側から延在して第２ポート１２２を形成し、第２ポート１２２は、弾性プラスチックチューブ及びネットカバー１３に順に連結され、さらに、固定部１のインナースリーブ１２、弾性プラスチックチューブ、及び、ネットカバー１３の外部は、ガイドスリーブ２を被覆し、固定部１に相対するガイドスリーブ２の他側には、排出ポートが設けられる。【選択図】図１
0003233744.tif 000002
【実用新案登録請求の範囲】
【請求項１】
固定部と、ガイドスリーブと、からなる男性尿路用の装着式集尿装置であって、
前記固定部は、固定片の開口部にインナースリーブが設けられ、前記インナースリーブの一側の第１ポートは、固定片の開口部を被覆し、前記インナースリーブは、前記第１ポートから固定部の一側へ外側に延在するとともに第２ポートを形成し、前記第２ポートには、ネットカバーが連結され、
前記ガイドスリーブは、前記固定部のインナースリーブと、ネットカバーの外部を被覆し、前記固定部に相対する前記ガイドスリーブの他側には、排出ポートが設けられることを特徴とする、男性尿路用の装着式集尿装置。
【請求項２】
前記インナースリーブは、シリコン、ゴム、または、プラスチック材料からなる弾性薄膜チューブまたは弾性ネットカバーであることを特徴とする、請求項１に記載の男性尿路用の装着式集尿装置。
【請求項３】
前記インナースリーブは、弾性薄膜チューブの壁面に複数の点状ユニットを備え、前記点状ユニットは、人の字形、Ｈ形、井の字形、Ｘ形、または、Ｙ形であることを特徴とする、請求項２に記載の男性尿路用の装着式集尿装置。
【請求項４】
前記固定部における開口部の一側には係合体が設けられ、前記ガイドスリーブの一側には、係合体とともに取り付けられ且つ連結された結合体が設けられることを特徴とする、請求項１に記載の男性尿路用の装着式集尿装置。
【請求項５】
前記係合体と結合体には、相対して取り付けられるおねじ及びめねじ、ほぞ及びほぞ孔、または、少なくとも１組以上の凸部及び係合孔がそれぞれ設けられることを特徴とする、請求項１に記載の男性尿路用の装着式集尿装置。
【請求項６】
装着品と、固定部と、ガイドスリーブと、からなる男性尿路用の装着式集尿装置であって、
前記装着品には、裾の位置に貫通する貫通孔が設けられ、
前記固定部は、前記装着品の貫通孔の部分に取り付けられるとともに、前記固定部には、前記貫通孔の内側に係止される固定片が設けられ、前記固定部における開口部の外縁には固定片が設けられ、前記固定片の一側には、貫通孔の外部まで貫通する係合体が設けられ、前記固定片と係合体の内側には、前記開口部を貫通する装着孔が設けられるとともに、前記装着孔には、係合体の外側まで延在する弾性バンドルが設けられ、前記ガイドスリーブの一側には、固定部の係合体の部分に取り付けられる結合体が設けられ、前記結合体の一側には、外側に延在する輸送管が設けられるとともに、輸送管の他側には、排出ポートが設けられることを特徴とする、男性尿路用の装着式集尿装置。
【請求項７】
前記装着品は、下着、使い捨てパンツ、短パン、または、紙おむつであることを特徴とする、請求項６に記載の男性尿路用の装着式集尿装置。
【請求項８】
固定部の固定片の外経の大きさは、装着品の貫通孔の孔経より大きいとともに、前記固定片の一側には、係合体が凸設され、前記係合体の外経は、貫通孔の孔経と同じである、または、貫通孔より小さいことを特徴とする、請求項６に記載の男性尿路用の装着式集尿装置。
【請求項９】
前記ガイドスリーブの輸送管は、シリコン、プラスチック、または、ゴム材質からなるチューブ体であるとともに、輸送管の一側の排出ポートには、開閉弁、集尿袋、または、集尿桶が連設されることを特徴とする、請求項６に記載の男性尿路用の装着式集尿装置。
【考案の詳細な説明】
【技術分野】
【０００１】
本考案は、男性尿路用の装着式集尿装置に関し、特に、自力で排尿できない身体障害者、認知症患者、生理機能が低下した患者、または、寝たきり患者等にとって装着しやすいとともに、簡単に尿を収集することのできる男性尿路用の装着式集尿装置に関する。
【背景技術】
【０００２】
人間の健やかな成長は、生活環境における空気、食物、水等に依存している。食物や水が人体に取り入れられると、必要な養分が体内に吸収された後、余分な物質は排尿、排便により体外に排出されることで、人体機能が正常に維持される。しかしながら、人間は年を重ねるにつれて生理機能が衰え、さらに、病気、事故による後遺症等の理由から身体に障害が生じたり、認知症を患ったり、生活に支援が必要または寝たきりになってしまう等の場合、生理機能が低下し自力で排尿、排便等を行うことが難しくなる。その場合、長期に渡って介護者が日常生活の世話をしなければならない。自力で排尿できない人の場合、尿または便で敷布団や床等が汚れないように紙おむつを下半身に装着するのが一般的であるが、紙おむつは値段が高く繰り返し使用できないだけでなく、紙おむつを装着すると通気が悪くなることで紙おむつを装着している下半身に湿疹、おむつかぶれ、あせも、または皮膚病等の症状が生じやすい。さらに、紙おむつの頻繁な装着や交換には、時間と労力を要し、使用後には大量のごみが出るため、環境汚染につながり、環境保護の要求に全く適合せず、経済的利益にもつながらない。
【０００３】
身体障害者の中には、尿道に尿道カテーテルを挿入し、尿道カテーテルによって尿が尿袋の中に流れるようすることで、紙おむつをはかなくてもよいようにしている人もいるが、尿道カテーテルは、介護者の不注意によってまたは使用者が体を動かした際に、尿道カテーテルが湾曲するまたはねじれて曲がることで、尿が漏れたり、尿道カテーテルが外れたり、詰まったりしてしまう場合がある。さらに、使用後に定期的に尿道カテーテルを交換しなければならず、それを怠ると使用者の尿道が容易に炎症を起こしたり、細菌に感染しやすくなったりする。使用者、介護者、または家族等のいずれにとっても非常に厄介で困難な問題であり、尿道カテーテルは、専門の医療スタッフまたは専任の看護スタッフしか取り扱うことができないため、専門的な訓練を受けていない一般の人にとっては容易に取り扱うことができない。従って、上述した自力で排尿できない人に生じる様々な不便さをいかに解決するかが、関係する事業に携わるスタッフが改善を必要としている点である。
【考案の概要】
【考案が解決しようとする課題】
【０００４】
本考案は、主に、固定部と、ガイドスリーブからなり、前記固定部における開口部は、インナースリーブの一側の第１ポートによって被覆されるとともに、インナースリーブは、第１ポートのネット固定部の外側から延在して第２ポートを形成し、前記第２ポートは、弾性プラスチックチューブ及びネットカバーに順に連結され、さらに、固定部のインナースリーブ、弾性プラスチックチューブ、及び、ネットカバーの外部は、ガイドスリーブを被覆し、前記固定部に相対する前記ガイドスリーブの他側には、排出ポートが設けられることで、尿を容易に収集することができるとともに、取り付け及び取り外しが簡単な男性尿路用の装着式集尿装置を提供することを目的とする。  
【０００５】
本考案は、さらに、前記インナースリーブが、シリコン、ゴム、または、プラスチック材料からなる弾性薄膜チューブまたは弾性ネットカバーであるとともに、前記インナースリーブは、弾性薄膜チューブの壁面に複数の点状ユニットを備え、前記点状ユニットは、人の字形、Ｈ形、井の字形、Ｘ形、または、Ｙ形である男性尿路用の装着式集尿装置を提供することを目的とする。
【０００６】
本考案は、さらに、装着品と、固定部と、ガイドスリーブからなり、前記装着品には、裾の位置に貫通する貫通孔が設けられることで、前記固定部は、前記貫通孔の内側に係止される固定片によって取り付けられるとともに、固定片の一側の係合体は、貫通孔の外部まで貫通し、前記固定片と係合体の内側の装着孔には、係合体の外側まで延在するインナースリーブ及びネットカバーが設けられることで、係合体にガイドスリーブの結合体を取り付けることができ、結合体の内部には、インナースリーブ及びネットカバーの位置に合わせられた円孔が設けられるとともに、ガイドスリーブの一側の排出ポートは、集尿袋または逆流防止ユニットに連設することができることで、装着品を自力で排尿できない人の下半身に装着することができ、それにより、快適に装着でき、簡単に尿を収集できるとともに、尿が逆流しないことで細菌感染や尿漏れを引き起こしにくい男性尿路用の装着式集尿装置を提供することを目的とする。
【０００７】
本考案は、さらに、前記装着品は、下着、使い捨てパンツ、短パン、または、紙おむつ等の男性使用者の下半身に装着できる物であるとともに、装着品の裾の股の位置には貫穿する貫通孔が設けられる男性尿路用の装着式集尿装置を提供することを目的とする。
【０００８】
本考案は、さらに、前記固定部は、固定片と係合体の内部に貫穿する装着孔が設けられるとともに、装着孔内は一体型である、または、インナースリーブ及びネットカバーが被装され、前記インナースリーブ及びネットカバーは、シリコン、プラスチック、または、ゴム等の材質からなる長細いネット状またはチューブ状等の弾性スリーブであることができ、さらに、固定部の係合体とガイドスリーブの結合体の部分には、固定することができ相対して結合されるおねじ及びめねじ、少なくとも１組以上の凸部及び係合孔、または、錐軸及び錐孔等がそれぞれ設けられ、前記ガイドスリーブは、シリコン、プラスチック、または、ゴム等の材質からなるチューブ体であることができるとともに、ガイドスリーブの末端には、逆流防止ユニット、開閉弁、集尿袋、または、集尿桶等の排尿装置または集尿装置等が連設される男性尿路用の装着式集尿装置を提供することを目的とする。
【０００９】
本考案は、さらに、前記装着式集尿装置は、各液体、気体、または、流体等の輸送に適用することができ、固定部の開口部により輸気管、水管等のチューブ体の出口に係合され、インナースリーブによってチューブ体の外部が被覆されることで、密閉状態が形成され、液体または気体等の輸送を行いやすくすることのできる男性尿路用の装着式集尿装置を提供することを目的とする。
【課題を解決するための手段】
【００１０】
本考案の考案者は、生理機能が低下し自力で排尿できない男性が抱える、家族つまり介護者の負担を引き起こしてしまうだけでなく、日常生活全体が不便であるという苦労を鑑みて、生理機能が低下し自力で排尿できない男性の問題を解決するために、男性尿路用の装着式の集尿装置の実用新案を考案した。
【００１１】
上述の問題を解決するため、本考案の男性尿路用の装着式集尿装置は、１、リバース式密閉システム圧力方向変換装置と、２、固定部（ステント）の設計と、３、医学概念を備える二重逆流防止弁と、からなり、圧力方向変換装置の構造は、ステントに密着し、ネット状の弾性組織によって尿路が被覆されることで弾性密閉が形成される。その被覆端はネット状の開口部を備えることで排尿しやすくし、導尿のため外部にはカテーテルが設けられ、本考案の集尿装置内部の底圧が高まると被覆力がより強くなり外れにくくなることで、漏れを防止する效果が達成される。さらに、固定部（ステント）と装着品が連結されることで相対的に安定する。最後に、医学概念を備える二重逆流防止弁は、陰圧隔離室の概念に似ており、完全に逆転、逆流を防止することで、感染を防ぐことができる。本考案が考案する男性尿路用の装着式集尿装置は、外部で集尿する方法のカテーテルであり、従来のカテーテルを使用し、長期間寝たきりで、運動能力の低下しており、尿失禁等の疾患を抱え、さらに、その生理構造に変化が生じ、インポテンツ、膀胱機能の低下、頻尿等の症状を併発している男性に適用することができる。本装置は、簡易設計で研究開発されているとともに、感染や漏れを防止することができ、導尿しやすく逆流を防止できるといった長所を備えるため、導尿カテーテルを使用する患者により多くの好ましい選択肢を提供することができる。本装置における簡易設計は、集尿スリーブ（尿道口を被覆するとともに尿道口に係合される）と、ステントと導尿バッグを備え、さらに、カテーテルには逆流防止弁と尿バッグが順に連結される。
【図面の簡単な説明】
【００１２】
【図１】本考案の斜視図である。
【図２】本考案における実施例１の斜視図である。
【図３】本考案における実施例２の斜視図である。
【図４】本考案の斜視分解図である。
【図５】本考案の使用状態における斜視分解図である。
【図６】本考案の使用状態における斜視図である。
【図７】本考案の使用状態における側面断面図である。
【図８】本考案における実施例３の斜視図である。
【考案を実施するための形態】
【００１３】
併せて参照する図１、図２、図３、図４は、それぞれ、本考案の斜視図、本考案における実施例１の斜視図、本考案における実施例２の斜視図、本考案の斜視分解図であり、図を見て分かる通り、本考案の男性尿路用の装着式集尿装置は、固定部１と、ガイドスリーブ２を備える。
【００１４】
前記固定部１は、固定片１１の開口部１１１にインナースリーブ１２が設けられ、前記インナースリーブ１２の一側の第１ポート１２１は、固定片１１の開口部１１１を被覆し、前記インナースリーブ１２は、前記第１ポート１２１から固定片１１の一側へ外側に延在するとともに第２ポート１２２を形成し、前記第２ポート１２にはネットカバー１３が連結される。
【００１５】
前記ガイドスリーブ２の一側には、排出ポート２１が設けられる。
【００１６】
前記ガイドスリーブ２は、前記固定部１のインナースリーブ１２と、ネットカバー１３の外部を被覆し、前記固定部１に相対するガイドスリーブ２の他側には、排出ポート２１が設けられるとともに、前記排出ポート２１には、集尿袋３または逆流防止ユニット４が取り付けられ、前記逆流防止ユニット４はばね部品４１を備えることで、ガイドスリーブ２内部の圧力と外部の集尿袋３等との圧力差の作用を利用して、集尿袋３内部における尿の逆浸透や、ガイドスリーブ２内への尿の逆流を防ぐことで、ガイドスリーブ２が集尿袋３内部の細菌、病菌等によって汚染されるのを防止することができ、それにより、固定部１とガイドスリーブ２の適用は、安全性を備え、衛生的であるとともに実用的であるといった效果を備える。
【００１７】
併せて参照する図４、図５、図６、図７、図８は、それぞれ、本考案の斜視分解図、本考案の使用状態における斜視分解図、本考案の使用状態における斜視図、本考案の使用状態における側面断面図、本考案における実施例３の斜視図であり、図から明らかな通り、本考案の導尿集尿装置を使用する場合、固定部１と、ガイドスリーブ２と、装着品５を備える。
【００１８】
前記固定部１は固定片１１を備え、前記固定片１１における開口部１１１の一側にはインナースリーブ１２と、ネットカバー１３が設けられるとともに、固定片１１の一側のインナースリーブ１２及びネットカバー１３の外部には、係合体１４が凸設され、前記固定片１１及び係合体１４の内部には、貫通する装着孔１１２が設けられ、前記装着孔１１２内には、チューブ状の弾性バンドルのインナースリーブ１２と、ネットカバー１３が被装される、または、弾性バンドルのインナースリーブ１２、ネットカバー１３と一体型に形成される。
【００１９】
前記ガイドスリーブ２の一側には、排出ポート２１が設けられ、他側には結合体２２が設けられるとともに、結合体２２の内部は、ガイドスリーブ２の内部及び一側の排出ポート２１まで貫通する円孔２２１を備える。
【００２０】
前記装着品５における裾の股の位置には、貫通する貫通孔５１が設けられる。
【００２１】
上述の前記固定部１、前記ガイドスリーブ２、及び、装着品５を実際に使用する場合、前記固定部２１を、装着品５の貫通孔５１の内部に係止される固定片２１１によって穿設できるとともに、前記固定片１１の一側のインナースリーブ１２、ネットカバー１３、及び、係合体１４は、貫通孔５１の外部まで突出し、さらに、ガイドスリーブ２の結合体２２を係合体１４の部分に取り付けるとともに、インナースリーブ１２、ネットカバー１３が延在して結合体２２の円孔２２１及びガイドスリーブ２の内部を貫通することで、固定部１とガイドスリーブ２を連結させ、装着品５の貫通孔５１の部分に固設させる目的が達成される。
【００２２】
前記固定部１の固定片１１の外径の大きさは、貫通孔５１の孔経より大きく、前記係合体１４の外経は、貫通孔５１の孔経と同じである、または、貫通孔５１より小さい。上述の前記固定部１における係合体１４及び前記ガイドスリーブ２と、結合体２２の間には、相対して連結されるおねじ及びめねじ、少なくとも１組以上の凸部及び係合孔、または、ほぞ及びほぞ孔を設けることができる。
【００２３】
上述の前記固定部１の係合体１４は、ガイドスリーブ２の結合体２２の円孔２２２内に取り付けることができるとともに、係合体１４の外部にはおねじが設けられ、結合体２２の円孔２２１の内部にはめねじが設けられる、または、係合体１４の外部に凸部、ほぞ（または、係合孔、ほぞ孔）等が設けられ、結合体２２の円孔２２１の内部には係合孔、ほぞ孔（または、凸部、ほぞ）等が設けられる。前記固定部１における固定片１１及び係合体１４は、装着孔１１２の一側によりガイドスリーブ２の結合体２２の外部に取り付けられることができるとともに、固定片１１及び係合体１４の装着孔１１２の一側の内部には、めねじが設けられ、結合体２２の外部にはおねじが設けられる、または、固定片１１及び係合体１４の内部の装着孔１１２の一側の内部には、凸部、ほぞ（または、係合孔、ほぞ孔）が設けられ、結合体２２の外部には、係合孔、ほぞ孔（または、凸部、ほぞ）が設けられる。
【００２４】
さらに、前記固定部１、ガイドスリーブ２、及び、前記装着品５を実際に使用する場合、前記装着品５は、下着、使い捨てパンツ、短パン、または、紙おむつ等であることができ、生理機能が低下した、自力で排尿できない男性使用者６の下半身６１に装着することができるとともに、男性使用者６の排尿器官６２は、固定部１の固定片１１の装着孔１１２に沿って挿入され、さらに、弾性のインナースリーブ１２及びネットカバー１３によって弾性包覆され、排尿器官６２の外部を締め付けることで位置決めされ、それにより、排尿器官６２と、インナースリーブ１２及びネットカバー１３は、共に延在してガイドスリーブ２における結合体２２の円孔２２１の内部に挿入される。前記ガイドスリーブ２２は、シリコン、プラスチック、または、ゴム等の材質からなるチューブ体であることができるとともに、ガイドスリーブ２２の一側の排出ポート２１には、開閉弁、集尿袋３、または、集尿桶等を連設することができる。
【００２５】
上述の前記男性使用者６の排尿器官６２から排尿される際、尿はガイドスリーブ２に沿って末端の集尿袋３の中に流れるようにされ、前記男性使用者６の排尿器官６２は、インナースリーブ１２及びネットカバー１３によって締め付けられているため、前記装着品５または前記固定部１及び前記ガイドスリーブ２が簡単にはずれてしまうことがないとともに、前記固定部１及び前記ガイドスリーブ２に尿が逆流して浸透し、漏れるといった不具合が生じないことで、男性使用者６の下半身６１はドライで快適な状態に保たれ、湿疹、尿布疹、あせも、または、皮膚病等の病状も生じにくい。集尿袋６３は、ガイドスリーブ２の一側の排出ポート２１の部分を取り外して尿を流し、洗浄消毒、殺菌等の処理することができる。さらに、前記固定部１、前記ガイドスリーブ２等は、装着品５の貫通孔５１の部分から、固定部１とガイドスリーブ２を簡単に取り付けまたは取り外しの操作を行うことができ、使用前後の消毒、殺菌、各部構成部品のメンテナンス及び交換等の処理を容易に行うことができると同時に、細菌感染を効果的に防ぐことができることで、男性使用者６の清潔さ及び衛生が確保され、使用効果はより高まる。
【００２６】
さらに、前記男性尿路用の装着式集尿装置は、各液体、気体、または、流体等の輸送にも応用することができ、固定部１の開口部１１１が送ガス管、水道管等のチューブ体の出口（未図示）に係合されるとともに、インナースリーブ１２によってチューブ体の外部が被覆されることで、密閉状態が形成され、液体または気体等の輸送を容易に行えるようにし、漏れを防ぐ効果が達成される。
【符号の説明】
【００２７】
１  固定部
１１  固定片
１１１  開口部
１１２  装着孔
１２  インナースリーブ
１２１  第１ポート
１２２  第２ポート
１３  ネットカバー
１４  係合体
２  ガイドスリーブ
２１  排出ポート
２２  結合体
２２１  円孔
３  集尿袋
４  逆流防止ユニット
４１  ばね部品
５  装着品
５１  貫通孔
６  男性使用者
６１  下半身
６２  排尿器官
【図１】
0003233744.tif 000003
【図２】
0003233744.tif 000004
【図３】
0003233744.tif 000005
【図４】
0003233744.tif 000006
【図５】
0003233744.tif 000007
【図６】
0003233744.tif 000008
【図７】
0003233744.tif 000009
【図８】
0003233744.tif 000010
【手続補正書】
【提出日】令和3年7月1日(2021.7.1)
【手続補正１】
【補正対象書類名】実用新案登録請求の範囲
【補正対象項目名】全文
【補正方法】変更
【補正の内容】
【実用新案登録請求の範囲】
【請求項１】
固定部と、ガイドスリーブと、からなる男性尿路用の装着式集尿装置であって、
前記固定部は、固定片の開口部にインナースリーブが設けられ、前記インナースリーブの一側の第１ポートは、固定片の開口部を被覆し、前記インナースリーブは、前記第１ポートから固定部の一側へ外側に延在するとともに第２ポートを形成し、前記第２ポートには、ネットカバーが連結され、
前記ガイドスリーブは、前記固定部のインナースリーブと、ネットカバーの外部を被覆し、前記固定部に相対する前記ガイドスリーブの他側には、排出ポートが設けられることを特徴とする、男性尿路用の装着式集尿装置。
【請求項２】
前記インナースリーブは、シリコン、ゴム、または、プラスチック材料からなる弾性薄膜チューブまたは弾性ネットカバーであることを特徴とする、請求項１に記載の男性尿路用の装着式集尿装置。
【請求項３】
前記インナースリーブは、弾性薄膜チューブの壁面に複数の点状ユニットを備え、前記点状ユニットは、人の字形、Ｈ形、井の字形、Ｘ形、または、Ｙ形であることを特徴とする、請求項２に記載の男性尿路用の装着式集尿装置。
【請求項４】
前記固定部における開口部の一側には係合体が設けられ、前記ガイドスリーブの一側には、係合体とともに取り付けられ且つ連結された結合体が設けられることを特徴とする、請求項１に記載の男性尿路用の装着式集尿装置。
【請求項５】
前記係合体と結合体には、相対して取り付けられるおねじ及びめねじ、ほぞ及びほぞ孔、または、少なくとも１組以上の凸部及び係合孔がそれぞれ設けられることを特徴とする、請求項４に記載の男性尿路用の装着式集尿装置。
【請求項６】
装着品と、固定部と、ガイドスリーブと、からなる男性尿路用の装着式集尿装置であって、
前記装着品には、裾の位置に貫通する貫通孔が設けられ、
前記固定部は、前記装着品の貫通孔の部分に取り付けられるとともに、前記固定部には、前記貫通孔の内側に係止される固定片が設けられ、前記固定部における開口部の外縁には固定片が設けられ、前記固定片の一側には、貫通孔の外部まで貫通する係合体が設けられ、前記固定片と係合体の内側には、前記開口部を貫通する装着孔が設けられるとともに、前記装着孔には、係合体の外側まで延在する弾性バンドルが設けられ、前記ガイドスリーブの一側には、固定部の係合体の部分に取り付けられる結合体が設けられ、前記結合体の一側には、外側に延在する輸送管が設けられるとともに、輸送管の他側には、排出ポートが設けられることを特徴とする、男性尿路用の装着式集尿装置。
【請求項７】
前記装着品は、下着、使い捨てパンツ、短パン、または、紙おむつであることを特徴とする、請求項６に記載の男性尿路用の装着式集尿装置。
【請求項８】
固定部の固定片の外径の大きさは、装着品の貫通孔の孔径より大きいとともに、前記固定片の一側には、係合体が凸設され、前記係合体の外径は、貫通孔の孔径と同じである、または、貫通孔より小さいことを特徴とする、請求項６に記載の男性尿路用の装着式集尿装置。
【請求項９】
前記ガイドスリーブの輸送管は、シリコン、プラスチック、または、ゴム材質からなるチューブ体であるとともに、輸送管の一側の排出ポートには、開閉弁、集尿袋、または、集尿桶が連設されることを特徴とする、請求項６に記載の男性尿路用の装着式集尿装置。
【手続補正２】
【補正対象書類名】明細書
【補正対象項目名】００２２
【補正方法】変更
【補正の内容】
【００２２】
前記固定部１の固定片１１の外径の大きさは、貫通孔５１の孔径より大きく、前記係合体１４の外径は、貫通孔５１の孔径と同じである、または、貫通孔５１より小さい。上述の前記固定部１における係合体１４及び前記ガイドスリーブ２と、結合体２２の間には、相対して連結されるおねじ及びめねじ、少なくとも１組以上の凸部及び係合孔、または、ほぞ及びほぞ孔を設けることができる。